(57)【要約】      （修正有）【課題】給紙選択でのユーザーの負荷軽減。【解決手段】印刷処理部２０３は、用紙情報読取部２０１に対し用紙情報読取命令を送信し（Ｓ４）、用紙情報は用紙に内臓されたＩＣチップから用紙情報を取り出し、印刷処理部２０３に用紙情報を提供する。そして、印刷処理部２０３は、画像編集部２０２へ、上記で得た画像情報と用紙情報を付加して画像編集命令を送信する（Ｓ５）。画像編集部２０２は、画像情報を用紙情報に合わせて画像編集処理を行う（Ｓ６）。編集終了後、印刷処理部２０３は給紙処理部２０４に給紙命令を送信し、印字処理部２０７へ印字処理命令を送信する（Ｓ７）。最後に排紙処理部２０８へ排紙命令を送信し（Ｓ８）、排紙処理部２０８が排紙処理を実行する。【選択図】図２
2007245676.tif 000002
【特許請求の範囲】
【請求項１】
用紙サイズ・用紙種別などの用紙に関する情報を保持しているＩＣチップが組み込まれた用紙が給紙口を通過する際、
当該ＩＣチップが保持している情報を読み取るＩＣチップ読取手段を備え、
この情報保持手段に保持された用紙の情報に基づき、編集・印字を行うことを特徴とする画像形成装置。
【請求項２】
ユーザから用紙サイズ・用紙種別の指定を受け付ける指定手段と、
前記ＩＣチップ読取手段で読み取った用紙サイズ・用紙種別と、前記指定手段で指定された用紙サイズ・用紙種別とを比較する比較手段とを備え、
この比較手段の比較の結果、給紙口の指定に合致する用紙と合致しない用紙がある時、指定に合致しない用紙には印字を行わず、機外排出することを特徴とする請求項１記載の画像形成装置。
【請求項３】
複数のジョブを受け付け、指定の用紙と給紙口にある用紙の情報が一致するものの優先度をあげてジョブを実行することを特徴とする請求項２記載の画像形成装置。
【請求項４】
用紙サイズ・用紙種別などの用紙に関する情報を保持しているＩＤチップが組み込まれた用紙から、当該ＩＤチップが保持している情報を読み取るＩＤチップ読取手段と、
前記ＩＤチップ読取手段が読み取った用紙情報の中のフォーマット情報を取得するフォーマット情報取得手段と、
前記フォーマット情報取得手段が取得したフォーマット情報を基に編集する編集手段と、を備えたことを特徴とする画像形成装置。
【請求項５】
前記フォーマット情報取得手段が取得したフォーマット情報登録手段と、
ユーザから所望のフォーマット情報を受け付ける指定手段と、を備え、
前記フォーマット情報登録手段に登録されたフォーマット情報を基に、前記指定手段で受け付けたユーザ所望のフォーマット情報を用いて、前記編集手段が編集することを特徴する請求項４記載の画像形成装置。
【請求項６】
前記編集手段がフォーマット情報を用いて編集を行い、印刷する際に、前記編集手段が編集した用紙情報の中の用紙サイズ・フォーマットサイズを取得して、自動的に印刷に用いる用紙を選択することを特徴とする請求項５記載の画像形成装置。
【請求項７】
ユーザ所望の印刷用紙の指定を受け付ける用紙指定手段を備え、
前記用紙指定手段で用紙を指定した時に、前記編集手段が、用紙サイズ・フォーマットサイズを取得し、変倍を行い、前記用紙指定手段で指定した用紙に画像形成を行うことを特徴とする請求項４、請求項５又は請求項６記載の画像形成装置。
【請求項８】
前記用紙指定手段で用紙を指定した時に、当該用紙の有無を確認する確認手段を備えたことを特徴とする請求項７記載の画像形成装置。
【請求項９】
前記編集手段による編集が終了し、印刷する際に、用紙を排紙中にフォーマット情報を書き込む用紙情報書込手段を備えたことを特徴とする請求項４から請求項８記載の何れか１項に記載の画像形成装置。
【発明の詳細な説明】
【技術分野】
【０００１】
本発明は、ユーザ所望の用紙に画像形成することができる画像形成装置に関する。
【背景技術】
【０００２】
現在広く普及している複写機、ファクシミリ装置及びプリンタなどの画像形成装置では、種々のサイズ原稿から各種サイズの原稿へ画像形成を行う多様なニーズがある。そこで、所望の用紙へスムーズに画像形成できるよう種々の技術が提案されている。
【特許文献１】特開２００５−２３９４２８公報
【特許文献２】特開２００５−１５４０８１公報
【特許文献３】特開２００５−３２３２０９公報
【特許文献４】特開平１１−２４０２２６号公報
【０００３】
特許文献１では、自動給紙モードを有する画像形成装置の利点を生かして、原稿の用紙系列如何に係わらず、ユーザの所望する系列の用紙に印刷をすることができる画像形成装置が開示されている。
特許文献２では、ＩＣタグを用いて、シート後処理装置が接続されていない他の画像形成装置で出力されたシート材に対して意図するシート後処理を自在に行ったり、該処理を管理する画像形成装置が開示されている。
特許文献３では、原稿にＲＦＩＤタグを付することで機密文書の不正コピーがなされることを防止する技術が開示されている。
特許文献４では、記録用紙が廃棄される際にそれぞれの記録用紙の記録状態に応じて再生工程の内容を選択可能とした画像形成装置が開示されている。
【発明の開示】
【発明が解決しようとする課題】
【０００４】
ところで、例えば、特許文献１記載の発明ではユーザが、給紙される用紙について把握している必要があった。
また、従来技術は、適切にフォーマット情報には対応していなかった。
そこで、本発明の第１の目的は、ユーザが給紙の用紙について把握する必要がなく、ユーザへの負担を少なくして、適切に用紙の処理ができる画像形成装置を提供することである。
また、本発明の第２の目的は、フォーマット情報を保持している用紙の表を利用して、容易に編集・印刷を可能とした画像形成装置を提供することである。
【課題を解決するための手段】
【０００５】
請求項１記載の発明では、画像形成装置が、用紙サイズ・用紙種別などの用紙に関する情報を保持しているＩＣチップが組み込まれた用紙が給紙口を通過する際、当該ＩＣチップが保持している情報を読み取るＩＣチップ読取手段を備え、この情報保持手段に保持された用紙の情報に基づき、編集・印字を行うことにより、前記第１の目的を達成する。
請求項２記載の発明では、請求項１記載の発明において、ユーザから用紙サイズ・用紙種別の指定を受け付ける指定手段と、前記ＩＣチップ読取手段で読み取った用紙サイズ・用紙種別と、前記指定手段で指定された用紙サイズ・用紙種別とを比較する比較手段とを備え、この比較手段の比較の結果、給紙口の指定に合致する用紙と合致しない用紙がある時、指定に合致しない用紙には印字を行わず、機外排出することを特徴とする。
【０００６】
請求項３記載の発明では、請求項２記載の発明において、複数のジョブを受け付け、指定の用紙と給紙口にある用紙の情報が一致するものの優先度をあげてジョブを実行することを特徴とする。
請求項４記載の発明では、用紙サイズ・用紙種別などの用紙に関する情報を保持しているＩＤチップが組み込まれた用紙から、当該ＩＤチップが保持している情報を読み取るＩＤチップ読取手段と、前記ＩＤチップ読取手段が読み取った用紙情報の中のフォーマット情報を取得するフォーマット情報取得手段と、前記フォーマット情報取得手段が取得したフォーマット情報を基に編集する編集手段と、を備えたことにより、前記第２の目的を達成する。
請求項５記載の発明では、請求項４記載の発明において、前記フォーマット情報取得手段が取得したフォーマット情報登録手段と、ユーザから所望のフォーマット情報を受け付ける指定手段と、を備え、前記フォーマット情報登録手段に登録されたフォーマット情報を基に、前記指定手段で受け付けたユーザ所望のフォーマット情報を用いて、前記編集手段が編集することを特徴とする。
【０００７】
請求項６記載の発明では、請求項５記載の発明において、前記編集手段がフォーマット情報を用いて編集を行い、印刷する際に、前記編集手段が編集した用紙情報の中の用紙サイズ・フォーマットサイズを取得して、自動的に印刷に用いる用紙を選択することを特徴とする。
請求項７記載の発明では、請求項４、請求項５又は請求項６記載の発明において、ユーザ所望の印刷用紙の指定を受け付ける用紙指定手段を備え、前記用紙指定手段で用紙を指定した時に、前記編集手段が、用紙サイズ・フォーマットサイズを取得し、変倍を行い、前記用紙指定手段で指定した用紙に画像形成を行うことを特徴とする。
【０００８】
請求項８記載の発明では、請求項７記載の発明において、前記用紙指定手段で用紙を指定した時に、当該用紙の有無を確認する確認手段を備えたことを特徴とする。
請求項９記載の発明では、請求項４から請求項８記載の何れか１項に記載の発明において、前記編集手段による編集が終了し、印刷する際に、用紙を排紙中にフォーマット情報を書き込む用紙情報書込手段を備えたことを特徴とする。
【発明の効果】
【０００９】
請求項１記載の発明では、ユーザが、給紙時・印刷時に用紙のサイズ・種別を意識せずに、ユーザの所望の原稿を印刷可能となり、かつ一カ所の給紙場所で対応処理ができる。  請求項２記載の発明では、ユーザ所望のサイズ・種別の用紙に原稿を印刷でき、給紙口に所望のサイズではない用紙が混入していた場合にも対応可能となる。
請求項３記載の発明では、所望の用紙がない場合、排紙枚数が多くなってしまうので、複数のジョブを受け付け、給紙用紙にあわせてジョブの実行を行うことで効率的な処理が可能となる。
【００１０】
請求項４記載の発明では、フォーマット情報を保持している用紙の表を利用して、容易に編集・印刷が可能となる。
請求項５記載の発明では、以前に利用した情報を登録しておくことにより、いつでも所望のフォーマットを利用して編集することができる。
請求項６記載の発明では、用紙を意識することなく、編集した画像等を印刷することが可能となる。
請求項７記載の発明では、ユーザ所望の用紙へ適切なレイアウトで印刷が可能となる。  請求項８記載の発明では、ユーザに負担をかけずに給紙口内の用紙情報を容易に検索可能となる。
請求項９記載の発明では、用紙に印字されたフォーマットと同様の情報を例えば、ＩＣチップに書き込むことにより、ユーザに負担をかけることなくフォーマット情報の複製が可能となる。
【発明を実施するための最良の形態】
【００１１】
以下、本発明の好適な実施の形態を図１ないし図１７を参照して、詳細に説明する。
図１は、本実施例に係る画像形成装置の構成を示したブロック図である。この画像形成装置は、処理部２０と情報記憶部３０とを備えており、処理部２０は、用紙情報読取部２０１、画像編集部２０２、印刷処理部２０３、給紙処理部２０４、要求受付部２０５、画像情報読取部２０６、印字処理部２０７、排紙処理部２０８、用紙情報書込部２０９、用紙情報管理部２１０を備えている。また、情報記憶部３０は、用紙情報記憶部３０１とユーザ情報記憶部３０２を備えている。
【００１２】
次に、第１の実施例の処理手順を図２のシーケンス図を参照して説明する。
ユーザが要求受付部２０５へ印刷要求命令を送信すると（ステップ１）、要求受付部２０５は印刷処理部２０３に対し印刷実行命令を送信する（ステップ２）。印刷処理部２０３は画像情報読取部２０６に対して画像情報読取命令を送信し（ステップ３）、画像情報を得る。
次に、印刷処理部２０３は、用紙情報読取部２０１に対し用紙情報読取命令を送信し（ステップ４）、用紙情報読取部２０１は用紙に内臓されたＩＣチップから用紙情報を取り出し、印刷処理部２０３に用紙情報を提供する。そして、印刷処理部２０３は、画像編集部２０２へ、上記で得た画像情報と用紙情報を付加して画像編集命令を送信する（ステップ５）。画像編集部２０２は、画像情報を用紙情報に合わせて画像編集処理を行う（ステップ６）。編集終了後、印刷処理部２０３は給紙処理部２０４に給紙命令を送信し、印字処理部２０７へ印字処理命令を送信する（ステップ７）。
最後に排紙処理部２０８へ排紙命令を送信し（ステップ８）、排紙処理部２０８が排紙処理を実行し、排紙終了の通知を印刷処理部２０３へ送信し、印刷処理部２０３は印刷実行命令に対する終了を要求受付部２０５に対し通知して（ステップ９）、印刷処理を終了する（ステップ１０）。
【００１３】
第２の実施例でも、第１の実施例同様、図１に示すように、画像形成装置は、用紙情報読取部２０１、画像編集部２０２、印刷処理部２０３、給紙処理部２０４、要求受付部２０５、画像情報読取部２０６、印字処理部２０７、排紙処理部２０８、用紙情報書込部２０９、用紙情報管理部２１０の処理機能を備えている。
この第２の実施例の処理手順を図３のシーケンス図を参照して説明する。
ユーザが要求受付部２０５へ用紙情報を指定して印刷要求命令を送信すると（ステップ１０）、要求受付部２０５は、印刷処理部２０３に対し用紙情報を指定して印刷実行命令を送信する（ステップ１１）。印刷処理部２０３は、画像情報読取部２０６に対して画像情報読取命令を送信し（ステップ１２）、画像情報を得る。
次に、印刷処理部２０３は、用紙情報読取部２０１に対し用紙情報を指定して用紙情報読取命令を送信する（ステップ１３）。用紙情報読取部２０１は、指定された用紙情報にマッチする用紙を指定して（ステップ１４）、検出結果としてマッチする用紙の情報と給紙先を検出結果として印刷処理部２０３へ返却する。
この時、所望の用紙が一番上にない場合は、所望の用紙が出てくるまで排紙処理を繰り返す（ステップ１５）。そして、印刷処理部２０３は、画像編集部２０２へ、上記で得た画像情報と検出結果を付加して画像編集命令を送信する（ステップ１６）。画像編集部２０２は、画像情報を用紙情報に合わせて画像編集処理を行う（ステップ１７）。編集終了後、印刷処理部２０３は、給紙処理部２０４に給紙命令を送信し、印字処理部２０７へ印字処理命令を送信する（ステップ１８）。
最後に排紙処理部２０８へ排紙命令を送信し（ステップ１９）、排紙処理部２０８が排紙処理を実行し、排紙終了の通知を印刷処理部２０３へ送信し、印刷処理部２０３は、印刷実行命令に対する終了を要求受付部２０５に対し通知して（ステップ２０）、印刷処理を終了する（ステップ２１）。
【００１４】
第２の実施例でも、第１の実施例同様、図１に示すように、画像形成装置は、用紙情報読取部２０１、画像編集部２０２、印刷処理部２０３、給紙処理部２０４、要求受付部２０５、画像情報読取部２０６、印字処理部２０７、排紙処理部２０８、用紙情報書込部２０９、用紙情報管理部２１０の処理機能を備えている。
この第３の実施例の処理手順を図４のシーケンス図を参照して説明する。
ユーザが要求受付部２０５へ用紙情報を指定して印刷要求命令を送信すると（ステップ２０）、この時要求受付部２０５は複数のジョブを受け付ける。要求受付部２０５は、印刷処理部２０３に対し用紙情報を指定して印刷実行命令を受け付けた要求分送信する（ステップ２１）。印刷処理部２０３は、画像情報読取部２０６に対して、画像情報読取命令を送信し（ステップ２２）、印刷要求を受け付けた分だけ画像情報を得る。
次に、印刷処理部２０３は、用紙情報読取部２０１に対し用紙情報を指定して用紙情報読取命令を送信する（ステップ２３）。用紙情報読取部２０１は、指定された用紙情報にマッチする用紙を指定して（ステップ２４）、検出結果としてマッチする用紙の情報と給紙先を検出結果として印刷処理部２０３へ返却する。
【００１５】
このとき、検出した用紙情報と印刷情報で受け付けた用紙情報を比較し、給紙口の上部にある用紙の優先順位を高くしてジョブを実行するようにする（ステップ２５）。
そして、印刷処理部２０３は、画像編集部２０２へ、上記で判定した優先順位に従って、画像情報を検出した際に得た画像情報と検出結果を付加して画像編集命令を送信する（ステップ２６）。画像編集部２０２は、画像情報を用紙情報に合わせて画像編集処理を行う（ステップ２７）。編集終了後、印刷処理部２０３は、給紙処理部２０４に給紙命令を送信し、印字処理部２０７へ印字処理命令を送信する（ステップ２８）。
最後に排紙処理部２０８へ排紙命令を送信し、排紙処理部が排紙処理を実行し（ステップ２９）、排紙終了の通知を印刷処理部２０３へ送信し、印刷処理部２０３は印刷実行命令に対する終了を要求受付部２０５に対し通知して（ステップ３０）、印刷処理を終了する（ステップ３１）。この編集・印字・排紙の処理を要求分繰り返す。
【００１６】
次に、第４の実施例を説明する。
この実施例の概略は、以下の通りである。
（１）帳票のような、用紙のフォーマットが決まっていて、かつ表などが最初から書いてある用紙に対し、ＩＣチップを内蔵する。
（２）このＩＣチップには用紙情報としてフォーマット情報や用紙情報を保持させている。この用紙情報は図５に示す表のように、用紙サイズ・用紙種類・フォーマット情報を保持している。
（３）画像形成装置の給紙口に用紙情報の読取部を設け、ＩＣチップのもつ用紙情報を取得する。
（４）取得した用紙情報のフォーマット情報を元に、ユーザはそのフォーマットに準じてアプリケーション上で編集することができる。
（５）編集後、用紙情報から開始位置等を確認し、編集内容を用紙に印字する。
（６）（５）の編集後にユーザはフォーマット情報を登録することが可能である。
（７）また、（６）で登録した情報からユーザは、図６に示すＵＩ（ユーザインターフェイス）からフォーマット情報を取得し、編集可能とする。
（８）また、ユーザは所望の用紙があるかどうかを印刷する前に確認することが可能である。
（９）登録した用紙情報や、読み取った用紙のフォーマット情報をもたない用紙に印刷する際に、排紙中に用紙情報書込部がＩＣチップに情報をもたせることを特徴とする。
【００１７】
次に、第４の実施例の処理手順を図７のシーケンス図を参照して説明する。
この例は、用紙情報からフォーマット情報を取得して編集する時の処理の例である。
まず、ユーザが図８に示すＵＩ取得の印刷のダイアログを開き、取得情報（詳細）ボタンを押下すると（ステップ４０）、アプリケーションから要求受付部２０５へフォーマット情報取得要求が送信され（ステップ４１）、要求受付部２０５から用紙情報管理部２１０へフォーマット情報取得要求が送信され（ステップ４２）、用紙情報記憶部３０１でフォーマット情報を取得し（ステップ４３）、用紙情報管理部２１０にフォーマット情報を返却し、さらに要求受付部２０５へフォーマット情報を返却する。
そして、返却された情報を元に、用紙情報プロパティの情報（図６、ＵＩ（編集））を表示する（ステップ４４）。さらに、ユーザが「編集」ボタン（図６参照）を押下すると、ユーザは取得したプロパティ情報のフォーマットに対して画像編集を行う（ステップ４５）。
【００１８】
次に、第５の実施例の処理手順を図９のシーケンス図を参照して説明する。
この例は、用紙情報からフォーマット情報を取得して登録する時の処理の例である。
ユーザが印刷のダイアログを開き（図８を参照）、取得情報（詳細）ボタンを押下すると（ステップ５０）、アプリケーションから要求受付部２０５へフォーマット情報取得要求が送信される（ステップ５１）。すると、要求受付部２０５から用紙情報読取部２０１へフォーマット情報取得要求が送信され（ステップ５２）、用紙情報読取部２０１でフォーマット情報を取得し（ステップ５３）、要求受付部２０５にフォーマット情報を返却し、さらにアプリケーションへフォーマット情報を返却する。
次に、返却された情報を元に、用紙情報プロパティの情報を表示する（図６参照）（ステップ５４）。さらに、ユーザが「編集」ボタンを押下するとユーザは取得したプロパティ情報のフォーマットに対して編集を行う。
【００１９】
その後、ユーザが編集画面（図１０「登録」参照）において、『登録（Ｔ）』ボタンを押下すると、アプリケーションから要求受付部２０５へフォーマット情報登録要求が送信され、要求受付部２０５から用紙情報管理部２１０へフォーマット情報登録要求が送信され（ステップ５５）、さらに用紙情報管理部２１０から用紙情報記憶部３０１へフォーマット情報登録要求が送信され用紙情報記憶部３０１にて用紙情報が登録される（ステップ５６）。
【００２０】
次に、第６の実施例の処理手順を図１１ののシーケンス図を参照して説明する。
この実施例は、レイアウト情報を取得して印刷する例である。
編集した用紙を印刷する際には、アプリケーションから要求受付部２０５に対し印刷要求が送信され（ステップ６０）、要求受付部２０５から用紙情報管理部２１０を経て（ステップ６１）、用紙情報記憶部３０１へ用紙情報取得要求が送信される（ステップ６２）。
用紙情報記憶部３０１は、フォーマット情報をキーにして用紙情報を取得して（ステップ６３）、用紙情報管理部２１０を経て要求受付部２０５へ用紙情報を返却する。要求受付部２０５は、前記用紙情報を印刷処理部２０３へ印刷要求と共に送信する（ステップ６４）。印刷処理部２０３は、給紙処理部２０４へ用紙情報と共に給紙処理要求を送信する（ステップ６５）。給紙処理部２０４が給紙処理終了後に印字処理部２０７で印字処理を行う（ステップ６６）。
【００２１】
次に、第７の実施例の処理手順を図１２のシーケンス図を参照して説明する。
この実施例は、用紙情報を取得し、ユーザ所望の用紙サイズに変倍して印刷する例である。
編集した用紙を印刷する際には、アプリケーションから要求受付部２０５に対し用紙サイズを指定されて印刷要求が送信され（ステップ７０）、要求受付部２０５から用紙情報管理部２１０を経て（ステップ７１）、用紙情報記憶部３０１へ用紙情報取得要求が送信される（ステップ７２）。用紙情報記憶部３０１はフォーマット情報をキーにして用紙情報を取得して（ステップ７３）、用紙情報管理部２１０を経て要求受付部２０５へ用紙情報を返却する。
そして、要求受付部２０５は、画像編集部２０２に画像処理要求を出す（ステップ７４）。前記用紙情報とユーザの指定した用紙情報からサイズを比較してフォーマット情報等の変倍率を計算する。そして、画像編集部２０２は、上記結果にあわせて画像の編集を行う（ステップ７５）。
その後、要求受付部２０５は、その計算結果を印刷処理部２０３へ印刷要求と共に送信するステップ７６）。印刷処理部２０３は、給紙処理部２０４へ用紙情報と共に給紙処理要求を送信する（ステップ７７）。給紙処理部２０４が給紙処理終了後に印字処理部２０７で印字処理を行う（ステップ７８）。
【００２２】
次に、第８の実施例の処理手順を図１３のシーケンス図を参照して説明する。
この実施例は給紙後に自動登録を行う例である。
まず、給紙口に用紙が追加されたら、給紙処理部２０４が検知し要求受付部２０５へ用紙補充検知を送信する（ステップ８０）。これを受けた要求受付部２０５は、用紙情報読取部２０１へ用紙情報取得要求を送信する（ステップ８１）。用紙情報読取部２０１は、用紙情報を読み取り（ステップ８２）、要求受付部２０５へ返却する。
そして、要求受付部２０５は、用紙情報管理部２１０へ用紙情報登録要求を送信し（ステップ８３）、用紙情報管理部２１０は、用紙情報記憶部３０１に対し用紙情報登録要求を送信し、用紙情報を登録しておく（ステップ８４）。
【００２３】
次に、第９の実施例の処理手順を図１４のシーケンス図を参照して説明する。
ユーザは所望の用紙情報を指定して（（図１５）、ＵＩ（検索）を参照）、検索ボタンを押下する（ステップ９０）。そして、アプリケーションは、要求受付部２０５へ用紙情報取得要求を送信し（ステップ９１）、要求受付部２０５は、用紙情報管理部２１０へ用紙情報取得要求を送信し（ステップ９２）、用紙情報管理部２１０は用紙情報記憶部３０１へ用紙情報取得要求を送信する（ステップ９３）。そして、用紙情報記憶部３０１は用紙情報と合致する用紙情報を検索する（ステップ９４）。
その後、検索結果を用紙情報管理部２１０、要求受付部２０５、アプリケーションへ返却し、アプリケーションは検索結果一覧として検索結果をユーザに対して表示する。この検索画面の一例を図１６に示してある。
【００２４】
次に、第１０の実施例の処理手順を図１７のシーケンス図を参照して説明する。
この実施例は、用紙情報を書き込む時の例である。
ユーザからの印字要求を受けて（ステップ１００）、アプリケーションは要求受付部２０５に対し、印刷要求を送信する（ステップ１０１）。要求受付部２０５は、用紙情報管理部２１０に対し用紙情報取得要求を送信し（ステップ１０２）、用紙情報記憶部３０１が用紙情報を取得して記憶した後（ステップ１０３）、用紙情報管理部２１０に用紙情報を返却し、さらに要求受付部２０５へ用紙情報を返却する。そして、要求受付部２０５は、返却された用紙情報を付与して印字処理部２０７へ印字処理要求を送信する（ステップ１０４）。印字処理部２０７は、用紙情報より開始位置の情報を取得し、それに従って印字処理を行う。
その後、要求受付部２０５は、印字処理終了通知を受け取り、取得した用紙情報にフォーマット情報がなかった場合には、用紙情報書込部２０９に対し用紙情報書き込み要求を送信する（ステップ１０５）。用紙情報書込部２０９はＩＣチップに用紙情報を書き込む。
また、要求受付部２０５は、用紙情報書き込み終了を受けて排紙処理部２０８に対し排紙処理要求を送信する（ステップ１０６）。排紙処理部２０８は排紙をし、排紙終了通知を要求受付部２０５に送信する。
【図面の簡単な説明】
【００２５】
【図１】本実施例に係る画像形成装置の構成を示したブロック図である。
【図２】第１の実施例の処理手順を示したシーケンス図である。
【図３】第２の実施例の処理手順を示したシーケンス図である。
【図４】第３の実施例の処理手順を示したシーケンス図である。
【図５】用紙情報を表した表である。
【図６】「編集」をユーザに提示する際の画面の例である。
【図７】第４の実施例の処理手順を示したシーケンス図である。
【図８】印刷のダイアログをユーザに提示する際の画面の例である。
【図９】第５の実施例の処理手順を示したシーケンス図である。
【図１０】「登録」をユーザに提示する際の画面の例である。
【図１１】第６の実施例の処理手順を示したシーケンス図である。
【図１２】第７の実施例の処理手順を示したシーケンス図である。
【図１３】第８の実施例の処理手順を示したシーケンス図である。
【図１４】第９の実施例の処理手順を示したシーケンス図である。
【図１５】用紙の「検索」をユーザに提示する際の画面の例である。
【図１６】検索結果画面をユーザに提示する際の画面の例である。
【図１７】第１０の実施例の処理手順を示したシーケンス図である。
【符号の説明】
【００２６】
２０  処理部
３０  情報記憶部
２０１  用紙情報読取部
２０２  画像編集部
２０３  印刷処理部
２０４  給紙処理部
２０５  要求受付部
２０６  画像情報読取部
２０７  印字処理部
２０８  排紙処理部
２０９  用紙情報書込部
２１０  用紙情報管理部
３０１  用紙情報記憶部
３０２  ユーザ情報記憶部
【図１】
2007245676.tif 000003
【図２】
2007245676.tif 000004
【図３】
2007245676.tif 000005
【図４】
2007245676.tif 000006
【図５】
2007245676.tif 000007
【図６】
2007245676.tif 000008
【図７】
2007245676.tif 000009
【図８】
2007245676.tif 000010
【図９】
2007245676.tif 000011
【図１０】
2007245676.tif 000012
【図１１】
2007245676.tif 000013
【図１２】
2007245676.tif 000014
【図１３】
2007245676.tif 000015
【図１４】
2007245676.tif 000016
【図１５】
2007245676.tif 000017
【図１６】
2007245676.tif 000018
【図１７】
2007245676.tif 000019